(57)【特許請求の範囲】
【請求項１】
呼制御ノードが、ＱｏＳ設定要求信号を優先度制御ノードに送信する工程と、前記優先度制御ノードにおいて、アクセス網のセッションを同定する工程と、前記優先度制御ノードが、前記ＱｏＳ設定要求信号に対する応答信号を前記呼制御ノードに送信する工程と、を具備し、前記優先度制御ノードが、前記応答信号と共に移動端末の在圏Ｃｅｌｌ  ＩＤを前記呼制御ノードに送信することを特徴とする移動通信方法。
【請求項２】
前記ＱｏＳ設定要求信号がDiameter  Base  ProtocolのＡＡＲ信号であり、前記応答信号が前記Diameter  Base  ProtocolのＡＡＡ信号であることを特徴とする請求項１記載の移動通信方法。
【請求項３】
前記アクセス網がＬＴＥ網であることを特徴とする請求項１又は請求項２記載の移動通信方法。
【請求項４】
移動端末の在圏Ｃｅｌｌ  ＩＤを保持する優先度制御ノードであって、アクセス網のセッションを同定した後に、呼制御ノードから送られたＱｏＳ設定要求信号に対する応答信号を、移動端末の在圏Ｃｅｌｌ  ＩＤと共に前記呼制御ノードに送信することを特徴とする優先度制御ノード。
【請求項５】
前記ＱｏＳ設定要求信号がDiameter  Base  ProtocolのＡＡＲ信号であり、前記応答信号が前記Diameter  Base  ProtocolのＡＡＡ信号であることを特徴とする請求項４記載の優先度制御ノード。
【請求項６】
前記アクセス網がＬＴＥ網であることを特徴とする請求項４又は請求項５記載の優先度制御ノード。
【発明の詳細な説明】
【技術分野】
【０００１】
本発明は、Ｃｅｌｌ  ＩＤなどの情報をＥＰＣ網からＩＭＳ基盤に提供する移動通信方法及び優先度制御ノードに関する。
【背景技術】
【０００２】
ＩＭＳ（IP  Multimedia  Subsystem）は、ＩＰベースのマルチメディア通信サービスを提供することを目的として３ＧＰＰ（3rd  Generation  Partnership  Project）国際標準として既定されている。ＩＭＳとは、アクセス網に依存しないＩＰで通信するコアネットワークの概念である。各アクセス網をＩＰ−ＣＡＮと呼び、複数のＩＰ−ＣＡＮをシームレスに収容することを可能とする。ＩＭＳにおいては、アクセス網に依存しないため、異なるアクセス網で共通のネットワークサービス（例えば、留守番電話、キャッチホン、転送サービスなど）を提供することが可能となる。このＩＭＳを利用した移動通信システムが、非特許文献１に規定されている。
【０００３】
図１は、ＩＭＳにおいてアクセス網がＬＴＥ（Long  Term  Evolution）網である場合のネットワークアーキテクチャを示す図である。３ＧＰＰ国際標準では、ＩＰ移動伝達ネットワークをＥＰＣ（Evolved  Packet  Core）網として規定し、サービス制御ネットワークをＩＭＳとして規定している。ＬＴＥアクセスシステムにおいては、その基地局であるｅＮｏｄｅＢをＭＭＥ（Mobility  Management  Entity）とＳＧＷ（Serving-Gateway）により収容する。ＭＭＥは、ＬＴＥアクセスシステムの無線ゾーンに在圏する移動端末ＵＥ（User  Equipment）とインタフェースを持ち、移動端末ＵＥの移動管理、移動端末の認証及び移動端末とのＩＰ伝達経路の設定制御を行う。ＳＧＷは、ＭＭＥの指令に基づいてＩＰパケットの伝達制御を行う。
【０００４】
また、ＥＰＣ網においては、ＰＧＷ（PDN(Packet  Data  Network)-Gateway）及びＰＣＲＦ（Policy  and  Charging  Rules  Function）が設定される。ＰＧＷは、インターネット、ＩＭＳなどのＰＤＮとの接続点があり、ＰＤＮから移動端末ＵＥへのＩＰパケットをすべて受ける。ＰＣＲＦは、ＰＧＷ、ＳＧＷでの伝達品質制御を行うための、ＱｏＳ（Quality  of  Service）、課金方法などのＩＰパケット伝達ポリシーを決定する。
【０００５】
ＩＭＳは、主にセッション制御機能（ＣＳＣＦ）、アプリケーションサービス制御機能（ＡＳ）を含む。また、ＩＭＳは、ユーザ情報蓄積機能（ＨＳＳ）を含む。
【０００６】
ＣＳＣＦ（Call  Session  Control  Function）は、サービス制御ネットワークの制御の核であるセッション制御を行う機能であり、移動端末間の通信セッションの設定、解放や、サービス条件にしたがってＡＳを選択して、セッション制御プロトコルであるＳＩＰ（Session  Initiation  Protocol）信号を転送する。ＣＳＣＦは、Ｐ−ＣＳＣＦ（Proxy-CSCF）、Ｓ−ＣＳＣＦ（Serving-CSCF）、Ｉ−ＣＳＣＦ（Interogating-CSCF）の３つの機能要素に分けられる。
【０００７】
ＡＳ（Application  Server）は、移動端末と連携して、各アプリケーションサービスの共通基本制御又は全般の制御を行う。ＨＳＳ（Home  Subscriber  Server）は、サービス制御ネットワークにアクセスする移動端末のユーザ情報を扱うデータベースである。なお、図１において、破線はＣ−Ｐｌａｎｅ（ユーザデータ）を示し、実線はＵ−Ｐｌａｎｅ（制御信号）を示す。
【０００８】
一方、非特許文献１においては、Ｃｅｌｌ  ＩＤなどの情報が規定されている。Ｃｅｌｌ  ＩＤとは、１台の無線基地局のカバレッジエリアをさらに細分化したエリアの識別子であり、ＬＴＥにおいてはＣＧＩ（Cell  Global  Identity）として規定されている。また、非特許文献１には、移動端末を識別する番号であるＩＭＥＩ（International  Mobile  Equipment  Identity）も規定されている。
【先行技術文献】
【非特許文献】
【０００９】
【非特許文献１】３ＧＰＰ  ＴＳ２３．００３
【発明の概要】
【発明が解決しようとする課題】
【００１０】
図２は、ＬＴＥアクセスシステムからのアタッチ制御について説明するためのシーケンス図である。まず、移動端末ＵＥは、ｅＮｏｄｅＢを介してＭＭＥに対して接続要求を行う。このとき、ｅＮｏｄｅＢはＣｅｌｌ  ＩＤをＭＭＥに送る。その後、移動端末ＵＥは、認証・秘匿などのセキュリティ手順を実施する。このとき、移動端末ＵＥはＩＭＥＩをＭＭＥに送る。その後、ＭＭＥが位置登録要求メッセージをＨＳＳに送信する。このとき、ＭＭＥはＩＭＥＩをＨＳＳに送る。また、ＭＭＥは、ＳＧＷ、ＰＧＷに対してセッション生成要求を行う。このとき、ＭＭＥは、Ｃｅｌｌ  ＩＤをＳＧＷに送る。その後、ＰＧＷとＰＣＲＦとの間でセッションが確立されると、Ｃｅｌｌ  ＩＤがＰＧＷを介してＰＣＲＦに送られる。このように、アタッチ制御により、図１に示すように、Ｃｅｌｌ  ＩＤは、ＭＭＥ、ＳＧＷ、ＰＣＲＦで保持され、ＩＭＥＩは、ＭＭＥ、ＨＳＳで保持される。
【００１１】
現状の３ＧＰＰ国際標準におけるＩＭＳの仕様では、ＩＭＳは、移動端末からＣｅｌｌ  ＩＤを取得することができるが、アクセス網から取得することができない。しかしながら、改ざんなどのセキュリティ観点からアクセス網から移動端末の在圏Ｃｅｌｌ  ＩＤを取得できるようにすることが望ましい。また、信用できるＣｅｌｌ  ＩＤの代表的な利用用途として、課金の際の信用できる要素、通信傍受の際の位置特定要素、緊急呼発信の際の適切な接続先の特定のための要素、その他ＩＭＳサービス提供の際の要素がある。この観点からも、アクセス網から移動端末の在圏Ｃｅｌｌ  ＩＤを取得できるようにすることが望ましい。また、ＩＭＥＩについても、移動端末の機能に応じたサービスを提供するためにアクセス網から取得できることが望ましい。
【００１２】
本発明はかかる点に鑑みてなされたものであり、Ｃｅｌｌ  ＩＤなどの情報をＥＰＣ網からＩＭＳ基盤に提供する移動通信方法及び優先度制御ノードを提供することを目的とする。
【課題を解決するための手段】
【００１３】
本発明の移動通信方法は、呼制御ノードが、ＱｏＳ設定要求信号を優先度制御ノードに送信する工程と、前記優先度制御ノードにおいて、アクセス網のセッションを同定する工程と、前記優先度制御ノードが、前記ＱｏＳ設定要求信号に対する応答信号を前記呼制御ノードに送信する工程と、を具備し、前記優先度制御ノードが、前記応答信号と共に移動端末の在圏Ｃｅｌｌ  ＩＤを前記呼制御ノードに送信することを特徴とする。
【００１４】
本発明の優先度制御ノードは、移動端末の在圏Ｃｅｌｌ  ＩＤを保持する優先度制御ノードであって、アクセス網のセッションを同定した後に、呼制御ノードから送られたＱｏＳ設定要求信号に対する応答信号を、移動端末の在圏Ｃｅｌｌ  ＩＤと共に前記呼制御ノードに送信することを特徴とする。
【発明の効果】
【００１５】
本発明によれば、移動端末ではなくＬＴＥ網からＩＭＳに対してＣｅｌｌ  ＩＤなどの情報を送るので、信頼性の高いＣｅｌｌ  ＩＤなどの情報をＩＭＳで扱うことが可能となる。また、移動端末の情報をＩＭＳが取得可能となることにより、移動端末の種別に応じたサービスを提供することが可能となる。
【図面の簡単な説明】
【００１６】
【図１】ＩＭＳにおいてアクセス網がＬＴＥ網である場合のネットワークアーキテクチャを示す図である。
【図２】ＬＴＥアクセスシステムからのアタッチ制御について説明するためのシーケンス図である。
【図３】本発明の実施の形態１，２に係る、ＩＭＳにおいてアクセス網がＬＴＥ網である場合のネットワークアーキテクチャを示す図である。
【図４】本発明の実施の形態１に係る移動通信方法の動作を示すシーケンス図である。
【図５】本発明の実施の形態２に係る移動通信方法の動作を示すシーケンス図である。
【図６】本発明の実施の形態３に係る、ＩＭＳにおいてアクセス網がＬＴＥ網である場合のネットワークアーキテクチャを示す図である。
【図７】本発明の実施の形態３に係る、ＩＭＳにおいてアクセス網がＬＴＥ網である場合のネットワークアーキテクチャを示す図である。
【図８】本発明の実施の形態３に係る、ＩＭＳにおいてアクセス網がＬＴＥ網である場合のネットワークアーキテクチャを示す図である。
【発明を実施するための形態】
【００１７】
本発明者らは、移動端末の発信のタイミングでＱｏＳの設定をするための信号を、呼制御ノードＰ−ＣＳＣＦと優先度制御ノードＰＣＲＦとの間で送受信することに着目し、この信号にＣｅｌｌ  ＩＤの情報を重畳することにより、ＬＴＥ網からＩＭＳに対してＣｅｌｌ  ＩＤの情報を送ることを見出した（ＰＣＲＦ連携）。
【００１８】
また、本発明者らは、サービス提供時に、ホーム加入者サーバＨＳＳとアプリケーションサーバＡＳとの間で信号の送受信を行うことに着目し、この信号にＩＭＥＩの情報を重畳することにより、ＬＴＥ網からＩＭＳに対してＩＭＥＩの情報を送ることを見出した（ＨＳＳ連携）。
【００１９】
さらに、本発明者らは、サービス制御ネットワーク（ＩＭＳ）上に収集ノードを定義し、この収集ノードでＣｅｌｌ  ＩＤやＩＭＥＩを収集し、ＩＭＳのノードに提供することを見出した。
【００２０】
以下、本発明の実施の形態について図面を参照して詳細に説明する。
（実施の形態１）
本実施の形態においては、ＱｏＳの設定をするための信号にＣｅｌｌ  ＩＤの情報を重畳することにより、ＬＴＥ網からＩＭＳに対してＣｅｌｌ  ＩＤの情報を送ることについて説明する。
【００２１】
図３は、本発明の実施の形態１，２に係る、ＩＭＳにおいてアクセス網がＬＴＥ網である場合のネットワークアーキテクチャを示す図である。上述したように、３ＧＰＰ国際標準では、ＩＰ移動伝達ネットワークをＥＰＣ網として規定し、サービス制御ネットワークをＩＭＳとして規定している。ＬＴＥアクセスシステムにおいては、その基地局であるｅＮｏｄｅＢをＭＭＥとＳＧＷにより収容する。
【００２２】
移動管理ノードＭＭＥは、ＬＴＥアクセスシステムの無線ゾーンに在圏する移動端末ＵＥとインタフェースを持ち、移動端末ＵＥの移動管理、移動端末の認証及び移動端末とのＩＰ伝達経路の設定制御を行う。ＭＭＥは、移動端末ＵＥの移動管理及び認証をＨＳＳと連携して行う。また、ＭＭＥは、移動端末ＵＥが送受信するＩＰパケットの伝達経路の設定をＳＧＷとｅＮｏｄｅＢに対して行う。
【００２３】
ゲートウェイ装置ＳＧＷは、ＭＭＥの指令に基づいてＩＰパケットの伝達制御を行う。ＳＧＷは、ＩＰパケットを伝達する際に、ＰＣＲＦから通知されたＱｏＳ情報にしたがってＩＰパケットの伝達品質制御を行う。
【００２４】
また、ＥＰＣ網においては、ＰＧＷ及びＰＣＲＦが設定される。ＰＧＷは、インターネット、ＩＭＳなどのＰＤＮとの接続点があり、ＰＤＮから移動端末ＵＥへのＩＰパケットをすべて受ける。ＰＧＷは、受信した移動端末ＵＥへのＩＰパケットをＳＧＷなどに伝達する。また、ゲートウェイ装置ＰＧＷは、ＩＰパケットを伝達する際に、ＰＣＲＦから通知されたＱｏＳ情報にしたがってＩＰパケットの伝達品質制御を行う。
【００２５】
優先度制御ノードＰＣＲＦは、ＰＧＷ、ＳＧＷでの伝達品質制御を行うための、ＱｏＳ（Quality  of  Service）、課金方法などのＩＰパケット伝達ポリシーを決定する。ＩＰパケット伝達ポリシーは、ＩＭＳから通知される、移動端末ＵＥから要求されたサービスアプリケーションの情報、ユーザのサービス契約情報などから決定する。
【００２６】
ＩＭＳは、主にセッション制御機能（ＣＳＣＦ）、アプリケーションサービス制御機能（ＡＳ）を含む。また、ＩＭＳは、ユーザ情報蓄積機能（ＨＳＳ）を含む。
【００２７】
呼制御ノードＣＳＣＦは、サービス制御ネットワークの制御の核であるセッション制御を行う機能であり、移動端末間の通信セッションの設定、解放や、サービス条件にしたがってＡＳを選択して、セッション制御プロトコルであるＳＩＰ信号を転送する。呼制御ノードＣＳＣＦは、Ｐ−ＣＳＣＦ、Ｓ−ＣＳＣＦ、Ｉ−ＣＳＣＦの３つの機能要素に分けられる。
【００２８】
Ｐ−ＣＳＣＦは、ＩＰ移動伝達ネットワークとの接続点に配備され、ＩＰ移動伝達ネットワークのＰＧＷと接続し、Ｓ−ＣＳＣＦ及びＩ−ＣＳＣＦと移動端末ＵＥとの間のＳＩＰ信号を中継する。Ｐ−ＣＳＣＦは、移動端末ＵＥから送られてくるＳＩＰ信号の正当性確認を行い、セッション制御に必要な情報（課金情報など）をＳ−ＣＳＣＦ向けに付加する。逆に、移動端末ＵＥ向けに送信すべきでない情報（番号非通知で着信した場合の発信者ＩＤなど）を削除する。また、Ｐ−ＣＳＣＦは、ＩＭＳでＱｏＳ制御を行うために必要なアプリケーション種別情報をＰＣＲＦに通知する。
【００２９】
Ｓ−ＣＳＣＦは、ＨＳＳから得たユーザ情報を用いてセッション制御や認証を行う。また、Ｓ−ＣＳＣＦは、移動端末ＵＥからセッション起動信号を受信したときに、イニシャルフィルタクライテリアの情報にしたがって、サービスに応じたＡＳを選択し、ＳＩＰ信号を中継する。
【００３０】
Ｉ−ＣＳＣＦは、ＩＭＳの関門として、他ネットワークからＳ−ＣＳＣＦを隠蔽し、他ネットワークとＳ−ＣＳＣＦとの間でＳＩＰ信号を中継する。Ｉ−ＣＳＣＦは、ＩＭＳへの登録やセッション制御時に、ＨＳＳのユーザ情報にしたがってＳ−ＣＳＣＦを選択する。
【００３１】
アプリケーションサーバＡＳは、移動端末と連携して、各アプリケーションサービスの共通基本制御又は全般の制御を行う。具体的には、Ｓ−ＣＳＣＦが移動端末ＵＥとの間のＳＩＰ信号をＡＳに中継し、ＡＳがサービス制御を行う。また、ＡＳは、ＨＳＳからアプリケーションサービスに関するユーザ情報を取得し、そのアプリケーションのための認証、認可を行う。
【００３２】
ホーム加入者サーバＨＳＳは、サービス制御ネットワークにアクセスする移動端末のユーザ情報を扱うデータベースである。具体的には、プライベートユーザ識別子、パブリックユーザ識別子、セッション制御を行うＳ−ＣＳＣＦのアドレス、契約サービス情報、セキュリティ情報、イニシャルフィルタクライテリアの情報などを保持する。また、ＨＳＳは、Ｓ−ＣＳＣＦ、Ｉ−ＣＳＣＦ、ＡＳからの情報読み出し、書き込みを行う。
【００３３】
図４は、本発明の実施の形態１に係る移動通信方法の動作を示すシーケンス図である。図４に示すシーケンスは、移動端末の発信のタイミングでＱｏＳの設定をするための信号を、呼制御ノードＰ−ＣＳＣＦと優先度制御ノードＰＣＲＦとの間で送受信する場合のDiameter  Base  Protocolのシーケンスである（ＰＣＣ（Policy  and  Charging  Control）連携制御：３ＧＰＰ  ＴＳ  ２９．２１３）。
【００３４】
まず、移動端末ＵＥが発信を行う場合、移動端末ＵＥから呼制御ノードＰ−ＣＳＣＦに対して、ＳＩＰメッセージ上のＳＤＰ（Session  Description  Protocol）を実行し、呼制御ノードＰ−ＣＳＣＦで下りリンク接続情報を設定する（Ｓ１、Ｓ２）。次いで、ＳＤＰにより呼制御ノードＰ−ＣＳＣＦで上りリンク接続情報を設定する（Ｓ３〜Ｓ５）。これにより、サービスに必要な帯域幅とリソースを確保する。
【００３５】
その後、呼制御ノードＰ−ＣＳＣＦは、優先度制御ノードＰＣＲＦと連携して、発信側、着信側の移動端末ＵＥの能力（使用可能なコーデックなど）と無線アクセス網（ここではＬＴＥ網）のリソース状況に応じてＱｏＳを設定する。すなわち、呼制御ノードＰ−ＣＳＣＦが、ＱｏＳ設定要求信号を優先度制御ノードに送信し、優先度制御ノードＰＣＲＦにおいて、アクセス網のセッションを同定し、優先度制御ノードＰＣＲＦが、ＱｏＳ設定要求信号に対する応答信号を呼制御ノードＰ−ＣＳＣＦに送信する。具体的には、図４に示すように、呼制御ノードＰ−ＣＳＣＦが、Diameter  Base  ProtocolのＡＡＲ（ＡＡ−Request）信号を優先度制御ノードＰＣＲＦに送信し（Ｓ６）、優先度制御ノードＰＣＲＦにおいて、セッション情報を格納すると共に、アクセス網（ＩＰ−ＣＡＮ）のセッションを同定し（Ｓ７）、優先度制御ノードＰＣＲＦが、Diameter  Base  ProtocolのＡＡＡ（ＡＡ−Answer）信号を呼制御ノードＰ−ＣＳＣＦに送信する（Ｓ８）。そして、ＳＤＰにより、呼制御ノードＰ−ＣＳＣＦから移動端末ＵＥにＰＣＣ／ＱｏＳルールを提供する（Ｓ９、Ｓ１０）。
【００３６】
このシーケンスにおいて、優先度制御ノードＰＣＲＦが、応答信号（ＡＡＡ信号）と共に移動端末ＵＥの在圏Ｃｅｌｌ  ＩＤを呼制御ノードＰ−ＣＳＣＦに送信する。このように、応答信号（ＡＡＡ信号）にＣｅｌｌ  ＩＤの情報を重畳することにより、ＬＴＥ網からＩＭＳに対してＣｅｌｌ  ＩＤの情報を送る（ＰＣＲＦ連携）。これにより、信頼性の高いＣｅｌｌ  ＩＤなどの情報をＩＭＳで扱うことが可能となる。このシーケンスは、移動端末ＵＥの発信のタイミングでのシーケンスであるので、最新で信頼性の高いＣｅｌｌ  ＩＤなどの情報をＩＭＳに提供することが可能となる。
【００３７】
（実施の形態２）
本実施の形態においては、サービス提供時に、ホーム加入者サーバＨＳＳとアプリケーションサーバＡＳとの間で送受信する信号にＩＭＥＩの情報を重畳することにより、ＬＴＥ網からＩＭＳに対してＩＭＥＩの情報を送ることについて説明する。
【００３８】
図５は、本発明の実施の形態２に係る移動通信方法の動作を示すシーケンス図である。図５に示すシーケンスにおいては、アプリケーションサーバＡＳは、サービス提供時に通信する要求信号をホーム加入者サーバＨＳＳに送信し、ホーム加入者サーバＨＳＳが、要求信号に対する応答信号をアプリケーションサーバＡＳに送信する。具体的には、図５に示すように、アプリケーションサーバＡＳが、Diameter  Base  ProtocolのＵＤＲ（User-Data-Request）信号をホーム加入者サーバＨＳＳに送信し、ホーム加入者サーバＨＳＳが、Diameter  Base  ProtocolのＵＤＡ（User-Data-Answer）信号をアプリケーションサーバＡＳに送信する。
【００３９】
このシーケンスにおいて、ホーム加入者サーバＨＳＳが、応答信号（ＵＤＡ信号）と共に端末識別番号ＩＭＥＩをアプリケーションサーバＡＳに送信する。このように、応答信号（ＵＤＡ信号）にＩＭＥＩの情報を重畳することにより、ＬＴＥ網からＩＭＳに対してＩＭＥＩの情報を送る（ＨＳＳ連携）。このように移動端末の情報をＩＭＳが取得可能となることにより、移動端末の種別に応じたサービスを提供することが可能となる。
【００４０】
（実施の形態３）
本発明においては、ＩＭＳ上に収集ノードを定義し、この収集ノードでＣｅｌｌ  ＩＤやＩＭＥＩをＬＴＥ網から収集し、ＩＭＳのノードに提供することについて説明する。
【００４１】
図６〜図８は、本発明の実施の形態３に係る、ＩＭＳにおいてアクセス網がＬＴＥ網である場合のネットワークアーキテクチャを示す図である。図６〜図８において、ＩＭＳ及びＥＰＣ網の各ノードは実施の形態１と同じであるので、その詳細な説明は省略する。
【００４２】
図６〜図８に示すアーキテクチャにおいては、ＩＭＳ上に収集ノードを定義している。この収集ノードは、Ｃｅｌｌ  ＩＤやＩＭＥＩを収集し、ＩＭＳのノードに提供する。ＩＭＳ内のノードは、任意のプロトコル（Ｄｉａｍｅｔｅｒ／ＸＣＡＰなど）でＣｅｌｌ  ＩＤやＩＭＥＩを取得する。
【００４３】
本実施の形態における第１態様では、図６に示すように、収集ノードがホーム加入者サーバＨＳＳ及び優先度制御ノードＰＣＲＦからＣｅｌｌ  ＩＤやＩＭＥＩを収集する。すなわち、収集サーバは、ホーム加入者サーバＨＳＳからDiameter  Base  ProtocolでＩＭＥＩを収集し、優先度制御ノードＰＣＲＦからDiameter  Base  ProtocolでＣｅｌｌ  ＩＤを収集する。
【００４４】
本実施の形態における第２態様では、図７に示すように、収集ノードが優先度制御ノードＰＣＲＦからＣｅｌｌ  ＩＤやＩＭＥＩを収集する。この場合、ＩＭＥＩは、優先度制御ノードＰＣＲＦを介して収集ノードに収集される。すなわち、優先度制御ノードＰＣＲＦがホーム加入者サーバＨＳＳからDiameter  Base  ProtocolでＩＭＥＩを収集し、収集ノードが優先度制御ノードＰＣＲＦからDiameter  Base  ProtocolでＣｅｌｌ  ＩＤ及びＩＭＥＩを収集する。
【００４５】
本実施の形態における第３態様では、図８に示すように、収集ノードが移動管理ノードＭＭＥからＣｅｌｌ  ＩＤやＩＭＥＩを収集する。すなわち、収集ノードが移動管理ノードＭＭＥからDiameter  Base  Protocolあるいは他のプロトコル（プロトコルＸ）でＣｅｌｌ  ＩＤ及びＩＭＥＩを収集する。
【００４６】
本実施の形態においても、移動端末ではなくＬＴＥ網からＩＭＳに対してＣｅｌｌ  ＩＤなどの情報を送るので、信頼性の高いＣｅｌｌ  ＩＤなどの情報をＩＭＳで扱うことが可能となる。また、移動端末の情報をＩＭＳが取得可能となることにより、移動端末の種別に応じたサービスを提供することが可能となる。
【００４７】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び更新態様として実施することができる。したがって、本明細書の記載は、例示説明を目的とするものであり、本発明に対して何ら制限的な意味を有するものではない。
【符号の説明】
【００４８】
Ｓ−ＣＳＣＦ，Ｐ−ＣＳＣＦ，Ｉ−ＣＳＣＦ  呼制御ノード
ＰＣＲＦ  優先度制御ノード
ＰＧＷ，ＳＧＷ  ゲートウェイ装置
ＭＭＥ  移動管理ノード
ＡＳ  アプリケーションサーバ
ＨＳＳ  ホーム加入者サーバ
ｅＮｏｄｅＢ  無線基地局
ＵＥ  移動端末
【図１】
0005356331.tif 000002
【図２】
0005356331.tif 000003
【図３】
0005356331.tif 000004
【図４】
0005356331.tif 000005
【図５】
0005356331.tif 000006
【図６】
0005356331.tif 000007
【図７】
0005356331.tif 000008
【図８】
0005356331.tif 000009